(57)【特許請求の範囲】
【請求項１】
過去に配信された動画を表示するユーザ端末であって、
ユーザの操作を受け付ける受付部と、
前記受付部が、視聴したい前記動画の属性であって、コンセプトが同じ叉は類似する連作の動画のシリーズを示す前記属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部と、
前記受付部が前記複数の候補動画の中から動画を選択する操作を受け付けると、前記ユーザが選択した前記候補動画である選択動画を表示部に表示させる表示制御部と、
を有し、
前記表示制御部は、前記選択動画を表示させている間に、前記受付部が前記選択動画とは異なる他の動画を表示させるための表示操作を受け付けると、前記属性を有する前記他の動画を前記表示部に表示させる、
ユーザ端末。
【請求項２】
前記表示制御部は、前記選択動画を表示させている間に、前記受付部が第１の前記表示操作を受け付けると、前記シリーズにおける前記選択動画の１つ前の前記他の動画を前記表示部に表示させ、前記受付部が第２の前記表示操作を受け付けると、前記シリーズにおける前記選択動画の１つ後の前記他の動画を前記表示部に表示させる、
請求項１に記載のユーザ端末。
【請求項３】
前記表示制御部は、前記選択動画を表示させている間に、前記受付部が前記表示操作を受け付けると、前記選択動画が配信されていた配信時期と同じ時期に配信されていた前記動画であって、前記選択動画の前記シリーズとは異なる他のシリーズの前記他の動画を前記表示部に表示させる、
請求項１に記載のユーザ端末。
【請求項４】
過去に配信された動画を表示するユーザ端末であって、
ユーザの操作を受け付ける受付部と、
前記受付部が、視聴したい前記動画の属性であって、前記動画に出演した出演者を示す前記属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部と、
前記受付部が前記複数の候補動画の中から動画を選択する操作を受け付けると、前記ユーザが選択した前記候補動画である選択動画を表示部に表示させる表示制御部と、
を有し、
前記表示制御部は、前記選択動画を表示させている間に、前記受付部が前記選択動画とは異なる他の動画を表示させるための表示操作である第１の表示操作を受け付けると、前記選択動画の１つ前に前記出演者が出演した前記他の動画を前記表示部に表示させ、前記受付部が前記第１の表示操作とは異なる前記表示操作である第２の表示操作を受け付けると、前記選択動画の１つ後に前記出演者が出演した前記他の動画を前記表示部に表示させる、
ユーザ端末。
【請求項５】
前記表示制御部は、前記選択動画を表示させている間に、前記受付部が前記表示操作を受け付けると、前記選択動画と前記属性を有する前記他の動画とを同時に前記表示部に表示させる、
請求項１から４のいずれか一項に記載のユーザ端末。
【請求項６】
前記表示制御部は、前記表示部に表示させている前記動画とともに、当該動画が配信されていた配信時期における前記ユーザの年齢及び前記配信時期における前記ユーザの学年のうちの少なくともいずれかと、前記配信時期とを前記表示部に表示させる、
請求項１から５のいずれか一項に記載のユーザ端末。
【請求項７】
前記表示制御部は、前記受付部が前記複数の候補動画の中から複数の動画を選択する操作を受け付けると、前記ユーザが選択した複数の前記選択動画を同時に前記表示部に表示させる、
請求項１から６のいずれか一項に記載のユーザ端末。
【請求項８】
前記動画には、所定のシーンごとに、当該シーンを示すためのシーン情報と、前記動画において当該シーンが始まる開始時刻とが関連付けられており、
前記検索条件には、前記シーンを指定するための指定情報が含まれ、
前記表示制御部は、前記選択動画を、前記指定情報に対応する前記シーン情報に関連付けられている前記開始時刻から前記表示部に表示させる、
請求項１から７のいずれか一項に記載のユーザ端末。
【請求項９】
前記表示制御部は、前記受付部が前記表示操作を受け付けると、前記属性を有する前記他の動画を、前記指定情報に対応する前記シーン情報に関連付けられている前記開始時刻から前記表示部に表示させる、
請求項８に記載のユーザ端末。
【請求項１０】
過去に配信された動画を表示するコンピュータが実行する、
視聴したい前記動画の属性であって、コンセプトが同じ叉は類似する連作の動画のシリーズを示す前記属性と、ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索するステップと、
前記複数の候補動画の中から動画を選択する操作を受け付けると、前記ユーザが選択した前記候補動画である選択動画を表示部に表示させるステップと、
前記選択動画を表示させている間に、前記選択動画とは異なる他の動画を表示させるための表示操作を受け付けると、前記属性を有する前記他の動画を前記表示部に表示させるステップと、
を有する動画表示方法。
【請求項１１】
過去に配信された動画を表示するコンピュータを、
ユーザの操作を受け付ける受付部、
前記受付部が、視聴したい前記動画の属性であって、コンセプトが同じ又は類似する連作の動画のシリーズを示す前記属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部、及び
前記受付部が前記複数の候補動画の中から動画を選択する操作を受け付けると、前記ユーザが選択した前記候補動画である選択動画を表示部に表示させる表示制御部、
として機能させ、
前記表示制御部は、前記選択動画を表示させている間に、前記受付部が前記選択動画とは異なる他の動画を表示させるための表示操作を受け付けると、前記属性を有する前記他の動画を前記表示部に表示させる、
プログラム。
【請求項１２】
過去に配信された動画を表示するコンピュータが実行する、
視聴したい前記動画の属性であって、前記動画に出演した出演者を示す前記属性と、ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索するステップと、
前記複数の候補動画の中から動画を選択する操作を受け付けると、前記ユーザが選択した前記候補動画である選択動画を表示部に表示させるステップと、
前記選択動画を表示させている間に、前記選択動画とは異なる他の動画を表示させるための表示操作である第１の表示操作を受け付けると、前記選択動画の１つ前に前記出演者が出演した前記他の動画を前記表示部に表示させ、前記第１の表示操作とは異なる前記表示操作である第２の表示操作を受け付けると、前記選択動画の１つ後に前記出演者が出演した前記他の動画を前記表示部に表示させるステップと、
を有する動画表示方法。
【請求項１３】
過去に配信された動画を表示するコンピュータを、
ユーザの操作を受け付ける受付部、
前記受付部が、視聴したい前記動画の属性であって、前記動画に出演した出演者を示す前記属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部、及び
前記受付部が前記複数の候補動画の中から動画を選択する操作を受け付けると、前記ユーザが選択した前記候補動画である選択動画を表示部に表示させる表示制御部、
として機能させ、
前記表示制御部は、前記選択動画を表示させている間に、前記受付部が前記選択動画とは異なる他の動画を表示させるための表示操作である第１の表示操作を受け付けると、前記選択動画の１つ前に前記出演者が出演した前記他の動画を前記表示部に表示させ、前記受付部が前記第１の表示操作とは異なる前記表示操作である第２の表示操作を受け付けると、前記選択動画の１つ後に前記出演者が出演した前記他の動画を前記表示部に表示させる、
プログラム。
【発明の詳細な説明】
【技術分野】
【０００１】
本発明は、ユーザ端末、動画表示方法及びプログラムに関する。
【背景技術】
【０００２】
従来、過去に放送された番組（以下、「動画」という）を配信する装置が知られている（例えば、特許文献１を参照）。
【先行技術文献】
【特許文献】
【０００３】
【特許文献１】特開２０１９−１９３２０４号公報
【発明の概要】
【発明が解決しようとする課題】
【０００４】
例えば、動画には、コンセプトが同じ又は類似する連作の動画（以下、「シリーズ動画」という）がある。現在配信されているあるシリーズ動画を視聴した視聴者（以下、「ユーザ」という）が、当該シリーズ動画のコンセプトと同じ又は類似する、過去（例えば子供のとき）に視聴した他のシリーズ動画を探そうとする場合、動画のタイトルや当該動画に登場するキャラクター等がすぐに思い出せない場合があり、視聴したい動画を探すことがユーザにとって手間であった。
【０００５】
そこで、本発明はこれらの点に鑑みてなされたものであり、視聴したい動画を容易に探すことを目的とする。
【課題を解決するための手段】
【０００６】
本発明の第１の態様にかかるユーザ端末は、過去に配信された動画を表示するユーザ端末であって、ユーザの操作を受け付ける受付部と、前記受付部が、視聴したい前記動画の属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部と、前記受付部が前記複数の候補動画の中から動画を選択する操作を受け付けると、前記ユーザが選択した前記候補動画である選択動画を表示部に表示させる表示制御部と、を有し、前記表示制御部は、前記選択動画を表示させている間に、前記受付部が前記選択動画とは異なる他の動画を表示させるための表示操作を受け付けると、前記属性を有する前記他の動画を前記表示部に表示させる。
【０００７】
前記表示制御部は、前記選択動画を表示させている間に、前記受付部が前記表示操作を受け付けると、前記選択動画と前記属性を有する前記他の動画とを同時に前記表示部に表示させてもよい。
【０００８】
前記表示制御部は、前記表示部に表示させている前記動画とともに、当該動画が配信されていた配信時期における前記ユーザの年齢及び前記配信時期における前記ユーザの学年のうちの少なくともいずれかと、前記配信時期とを前記表示部に表示させてもよい。
【０００９】
前記属性は、コンセプトが同じ又は類似する連作の動画のシリーズを示してもよいし、前記表示制御部は、前記選択動画を表示させている間に、前記受付部が第１の前記表示操作を受け付けると、前記シリーズにおける前記選択動画の１つ前の前記他の動画を前記表示部に表示させ、前記受付部が第２の前記表示操作を受け付けると、前記シリーズにおける前記選択動画の１つ後の前記他の動画を前記表示部に表示させてもよい。
【００１０】
前記属性は、コンセプトが同じ又は類似する連作の動画のシリーズを示してもよいし、前記表示制御部は、前記選択動画を表示させている間に、前記受付部が前記表示操作を受け付けると、前記選択動画が配信されていた配信時期と同じ時期に配信されていた前記動画であって、前記選択動画の前記シリーズとは異なる他のシリーズの前記他の動画を前記表示部に表示させてもよい。
【００１１】
前記属性は、前記動画に出演した出演者を示してもよいし、前記表示制御部は、前記選択動画を表示させている間に、前記受付部が第１の前記表示操作を受け付けると、前記選択動画の１つ前に前記出演者が出演した前記他の動画を前記表示部に表示させ、前記受付部が第２の前記表示操作を受け付けると、前記選択動画の１つ後に前記出演者が出演した前記他の動画を前記表示部に表示させてもよい。
【００１２】
前記表示制御部は、前記受付部が前記複数の候補動画の中から複数の動画を選択する操作を受け付けると、前記ユーザが選択した複数の前記選択動画を同時に前記表示部に表示させてもよい。
【００１３】
前記動画には、所定のシーンごとに、当該シーンを示すためのシーン情報と、前記動画において当該シーンが始まる開始時刻とが関連付けられてもよいし、前記検索条件には、前記シーンを指定するための指定情報が含まれてもよいし、前記表示制御部は、前記選択動画を、前記指定情報に対応する前記シーン情報に関連付けられている前記開始時刻から前記表示部に表示させてもよい。
【００１４】
前記表示制御部は、前記受付部が前記表示操作を受け付けると、前記属性を有する前記他の動画を、前記指定情報に対応する前記シーン情報に関連付けられている前記開始時刻から前記表示部に表示させてもよい。
【００１５】
本発明の第２の態様にかかる動画表示方法は、過去に配信された動画を表示するコンピュータが実行する、視聴したい前記動画の属性と、ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索するステップと、前記複数の候補動画の中から動画を選択する操作を受け付けると、前記ユーザが選択した前記候補動画である選択動画を表示部に表示させるステップと、前記選択動画を表示させている間に、前記選択動画とは異なる他の動画を表示させるための表示操作を受け付けると、前記属性を有する前記他の動画を前記表示部に表示させるステップと、を有する。
【００１６】
本発明の第２の態様にかかるプログラムは、過去に配信された動画を表示するコンピュータを、ユーザの操作を受け付ける受付部、前記受付部が、視聴したい前記動画の属性と、前記ユーザの年齢を特定するための情報と、教育機関の年次に基づく所定の学年とを含む検索条件の入力を受け付けると、前記ユーザが前記所定の学年のときに配信されていた前記動画であって、前記属性を有する複数の候補動画を検索する検索部、及び前記受付部が前記複数の候補動画の中から動画を選択する操作を受け付けると、前記ユーザが選択した前記候補動画である選択動画を表示部に表示させる表示制御部、として機能させ、前記表示制御部は、前記選択動画を表示させている間に、前記受付部が前記選択動画とは異なる他の動画を表示させるための表示操作を受け付けると、前記属性を有する前記他の動画を前記表示部に表示させる。
【発明の効果】
【００１７】
本発明によれば、視聴したい動画を容易に探すことができるという効果を奏する。
【図面の簡単な説明】
【００１８】
【図１】動画表示システムの概要を説明するための図である。
【図２】サーバの構成を示す図である。
【図３】動画情報データベースの構成の一例を示す図である。
【図４】ユーザ端末の構成を示す図である。
【図５】専用アプリの表示画面の一例を示す図である。
【図６】専用アプリの表示画面の一例を示す図である。
【図７】表示操作を模式的に表した図である。
【図８】動画表示システムの処理の流れを示すシーケンス図である。
【発明を実施するための形態】
【００１９】
［動画表示システムＳの概要］
図１は、動画表示システムＳの概要を説明するための図である。動画表示システムＳは、ユーザＵに動画表示サービスを提供するためのシステムである。ユーザＵは、動画表示サービスの会員であり、例えば、成人である。動画表示サービスは、ユーザＵに動画を提供するためのサービスである。
【００２０】
動画表示サービスにおいて提供される動画は、過去に配信された動画であり、例えば、過去に放送されたテレビ番組、又はオリジナルの動画を配信する動画配信サービスにおいて過去に配信された動画である。また、動画は、コンセプトが同じ又は類似する連作の動画であり、例えば、長年にわたって放送され続けている連作の動画（例えば、戦隊ものをはじめとする特撮テレビドラマシリーズ又はテレビアニメシリーズの番組等）である。
【００２１】
動画表示システムＳは、サーバ１と、ユーザ端末２とを有する。サーバ１は、動画を管理する。また、サーバ１は、動画の属性、及び動画が配信された配信時期等を含む動画に関する情報を記憶している。動画の属性は、例えば、コンセプトが同じ又は類似する連作の動画のシリーズを示す情報であり、例えば、特撮ヒーロー、特撮戦隊、及び変身ヒロインアニメ等である。
【００２２】
ユーザ端末２は、ユーザＵが使用する端末であり、例えば、スマートフォン又はタブレットである。ユーザ端末２には、例えば、ユーザＵに動画表示サービスを提供するための専用のアプリケーションプログラム（以下、「専用アプリ」という）がインストールされている。
【００２３】
近年、過去に配信された動画の配信を提供するサービスが増えてきており、ユーザＵは、当該サービスを利用することにより、所望の動画を視聴することができる。しかしながら、ユーザＵが上記サービスにおいて提供される動画の中から所望の動画を見つけられない場合がある。例えば、現在放送されている連作のテレビ番組を視聴したユーザＵが、子供のときに視聴した、現在放送されているテレビ番組とコンセプトが同じ又は類似するテレビ番組を探そうとする場合、番組名及び当該テレビ番組に登場したキャラクター等を思い出せず、すぐに所望の番組を見つけることができない場合があった。そこで、動画表示サービスは、所望の動画（ユーザＵが子供のときに配信されていた、特定のシリーズの動画）を見つけやすくするためのサービスを提供する。
【００２４】
図１に示す例において、ユーザ端末２において専用アプリが起動されたことに応じて表示画面（例えば検索画面）が表示されると、ユーザＵは、当該表示画面において、視聴したい動画の属性と、ユーザＵの年齢を特定するための情報と、教育機関の年次に基づく所定の学年とを含む検索条件を入力する（図１の（１））。ユーザＵの年齢を特定するための情報は、例えば、ユーザＵの年齢、又はユーザＵの生年月日である。教育機関の年次に基づく所定の学年は、例えば、未就学児（例えば、５歳又は６歳以下）、低学年（例えば、小学１年生から２年生）、中学年（例えば、小学３年生から４年生）、及び高学年（例えば、小学５年生から６年生）等である。
【００２５】
ユーザ端末２は、検索条件が入力されると、サーバ１が管理する複数の動画の中から、検索条件を満たす複数の候補動画、すなわち、ユーザＵが所定の学年のときに配信されていた動画であって、ユーザＵが入力した動画の属性を有する複数の候補動画を検索し、検索結果を専用アプリの表示画面に表示する（図１の（２））。
【００２６】
ユーザＵが、専用アプリの表示画面に検索結果として表示された複数の候補動画の中から、視聴したい動画を選択すると、ユーザ端末２は、ユーザＵが選択した候補動画である選択動画をサーバ１から取得し、取得した選択動画を表示、すなわち選択動画を再生する（図１の（３））。
【００２７】
その後、ユーザＵが、専用アプリの表示画面に選択動画が表示されている間に、他の動画を表示させるための操作を行うと、ユーザ端末２は、他の動画をサーバ１から取得し、取得した他の動画を表示する（図１の（３））。他の動画は、選択動画とは異なる動画であって、選択動画と同じ動画の属性（ユーザＵが入力した動画の属性）を有する動画である。
【００２８】
このようにすることで、ユーザＵは、所定の学年のときに配信されていた複数の動画それぞれを視聴することができる。これにより、ユーザＵは、視聴したい動画（例えば、子供のときに視聴していた特定のシリーズの動画）を見つけることができる。その結果、動画表示システムＳは、ユーザＵが視聴したい動画を容易に探させることができる。
以下、サーバ１及びユーザ端末２の構成について説明する。
【００２９】
［サーバ１の構成］
図２は、サーバ１の構成を示す図である。サーバ１は、通信部１１と、記憶部１２と、制御部１３とを有する。制御部１３は、取得部１３１、特定部１３２、送信部１３３及び表示制御部１３４を有する。
【００３０】
通信部１１は、ネットワークを介してユーザ端末２との間でデータを送受信するための通信インターフェースを有する。記憶部１２は、ＲＯＭ（Read Only Memory）、ＲＡＭ（Random Access Memory）及びハードディスク等の記憶媒体を有する。記憶部１２は、制御部１３が実行するプログラムを記憶している。また、記憶部１２は、動画表示サービスにおいて提供する複数の動画データを記憶している。また、記憶部１２は、記憶している動画に関する情報を管理する動画情報データベースを記憶している。
【００３１】
図３は、動画情報データベースの構成の一例を示す図である。図３に示すように、動画情報データベースは、動画識別情報と、動画名と、属性（属性識別情報及び属性名）と、配信時期とを関連付けて記憶している。動画識別情報は、動画を識別するための情報である。動画名は、例えば、テレビ番組における番組名である。属性識別情報は、属性を識別するための情報である。属性名は、例えば、属性を示すためのキーワードである。属性は、複数の分類を有してもよい。例えば、属性には、大分類と中分類とを有し、大分類が、コンセプトが同じ又は類似する連作の動画のシリーズを示し、中分類が、当該シリーズにおいて登場するキャラクターを示してもよい。
【００３２】
図２に戻り、制御部１３は、例えばＣＰＵ（Central Processing Unit）を有しており、記憶部１２に記憶されたプログラムを実行することにより、取得部１３１、特定部１３２、送信部１３３及び表示制御部１３４として機能する。
【００３３】
取得部１３１は、通信部１１を介して、ユーザ端末２から種々の要求を取得する。特定部１３２は、記憶部１２に記憶されている複数の動画の中から、ユーザＵの要求を満たす動画を特定する。例えば、取得部１３１が、検索条件を含む検索要求をユーザ端末２から取得すると、特定部１３２は、記憶部１２に記憶されている複数の動画の中から、検索条件を満たす動画を特定する。また、例えば、取得部１３１が、ユーザＵが視聴したい動画に対応する動画識別情報を含む送信要求をユーザ端末２から取得すると、特定部１３２は、記憶部１２に記憶されている複数の動画の中から、動画識別情報に対応する動画を特定する。
【００３４】
送信部１３３は、通信部１１を介して、特定部１３２が特定した動画に関する情報をユーザ端末２に送信する。動画に関する情報は、例えば、動画識別情報、動画名、配信時期、及び動画のイメージ画像等を含む。表示制御部１３４は、ユーザＵの送信要求に基づいて、動画をユーザ端末２のディスプレイに表示させるようにユーザ端末２を制御する。例えば特定部１３２が送信要求に基づいて動画を特定すると、表示制御部１３４は、特定された動画データをユーザ端末２に送信する。
【００３５】
［ユーザ端末２の構成］
図４は、ユーザ端末２の構成を示す図である。ユーザ端末２は、通信部２１と、表示部２２と、操作部２３と、記憶部２４と、制御部２５とを有する。制御部２５は、表示制御部２５１、受付部２５２及び検索部２５３を有する。
【００３６】
通信部２１は、ネットワークを介してサーバ１との間でデータを送受信するための通信インターフェースを有する。表示部２２は、専用アプリの表示画面を表示するディスプレイである。操作部２３は、ユーザＵの操作を受け付ける入力デバイスであり、例えば、表示部２２に重ねて設けられたタッチパネルである。
【００３７】
記憶部２４は、ＲＯＭ及びＲＡＭを含む記憶媒体である。記憶部２４は、制御部２５が実行するプログラムを記憶している。記憶部２４は、通信部２１が受信した動画データを一時的に記憶してもよい。制御部２５は、例えばＣＰＵを有しており、記憶部２４に記憶されたプログラムを実行することにより、表示制御部２５１、受付部２５２及び検索部２５３として機能する。
【００３８】
表示制御部２５１は、専用アプリの表示画面を表示部２２に表示させる。例えば、ユーザ端末２において専用アプリが起動すると、表示制御部２５１は、ユーザＵが視聴したい動画を検索するための検索画面を表示部２２に表示させる。検索画面には、例えば、ユーザＵが視聴したい動画の属性と、ユーザＵの年齢を特定するための情報と、教育機関の年次に基づく所定の学年とを入力するための入力項目が設けられている。
【００３９】
受付部２５２は、操作部２３を介して、ユーザＵの操作を受け付ける。受付部２５２は、例えば、専用アプリの表示画面において行われたユーザＵの操作を受け付ける。
【００４０】
検索部２５３は、ユーザＵによる検索条件を満たす複数の候補動画を検索する。具体的には、検索部２５３は、受付部２５２が、ユーザＵが視聴したい動画の属性と、ユーザＵの年齢を特定するための情報と、教育機関の年次に基づく所定の学年とを含む検索条件の入力を受け付けると、ユーザＵが所定の学年のときに配信されていた動画であって、ユーザＵが入力した動画の属性を有する複数の候補動画を検索する。
【００４１】
より具体的には、まず、検索部２５３は、受付部２５２が検索条件の入力を受け付けると、通信部２１を介して、当該検索条件を含む検索要求をサーバ１に送信する。そして、検索部２５３は、サーバ１が検索要求に応じて送信した、検索条件を満たす複数の候補動画に関する情報を検索結果として取得する。
【００４２】
例えば、ユーザＵの年齢を特定するための情報がユーザＵの年齢を示す「３０歳」であり、所定の学年が「低学年」である場合、検索部２５３は、２３年及び２４年前に配信された動画の配信時期と、属性とに関連付けられている複数の候補動画を検索する。表示制御部２５１は、専用アプリの表示画面（動画一覧画面）に複数の候補動画に関する情報を検索結果として表示部２２に表示させる。また、例えば、検索画面には、複数の動画の属性の中から１つの動画の属性を選択する選択項目が設けられており、検索部２５３は、ユーザＵが選択した動画の属性に対応する属性識別情報を含む検索要求をサーバ１に送信する。検索画面には、動画の属性のキーワードを入力するためのテキスト入力項目が設けられており、検索部２５３は、当該テキスト入力項目においてユーザＵが入力した動画の属性のキーワードを含む検索要求をサーバ１に送信してもよい。
【００４３】
表示制御部２５１は、受付部２５２が複数の候補動画の中から動画を選択する選択操作を受け付けると、ユーザＵが選択した候補動画である選択動画を表示部２２に表示させる。具体的には、まず、受付部２５２が動画一覧画面においてユーザＵによる選択操作を受け付けると、表示制御部２５１は、通信部２１を介して、選択動画に対応する動画識別情報を含み、選択動画の送信を要求するための送信要求をサーバ１に送信する。そして、表示制御部２５１は、送信要求に応じてサーバ１から送信された動画データ（動画識別情報に対応する選択動画の動画データ）を取得すると、取得した動画データに基づく選択動画を表示部２２に表示させる。
【００４４】
図５は、専用アプリの表示画面の一例を示す図である。図５（ａ）に示す動画一覧画面には、ユーザＵが低学年のときに配信され、かつ動画の属性「特撮ヒーロー」に関連する複数の候補動画として、動画Ｖ１に関する情報（動画Ｖ１の動画名、動画Ｖ１の配信時期、及び動画Ｖ１のイメージ画像）と、動画Ｖ２に関する情報とが表示されている。この場合において、ユーザＵが動画Ｖ１及び動画Ｖ２のうちのいずれかを選択する操作（例えば、動画Ｖ１の表示欄をタップする操作）を行うと、表示制御部２５１は、図５（ｂ）に示すような専用アプリの表示画面（動画視聴画面）において動画Ｖ１を再生させる。
【００４５】
表示制御部２５１は、表示部２２に表示させている動画とともに、当該動画が配信されていた配信時期におけるユーザＵの年齢及び配信時期におけるユーザＵの学年のうちの少なくともいずれかと、配信時期とを表示部２２に表示させてもよい。図５（ｂ）に示す例において、表示制御部２５１は、動画Ｖ１とともに、動画Ｖ１の配信時期におけるユーザＵの学年と、動画Ｖ１の配信時期とを含むメッセージＭを表示させる。このようにすることで、ユーザＵは、再生されている動画がどの学年のときに配信されていた動画であるかを把握することができる。
【００４６】
表示制御部２５１は、複数の候補画像を同時に表示部２２に表示させてもよい。具体的には、表示制御部２５１は、受付部２５２が複数の候補動画の中から複数の動画を選択する操作を受け付けると、ユーザＵが選択した複数の選択動画を同時に表示部２２に表示させる。
【００４７】
図６は、専用アプリの表示画面の一例を示す図である。図６に示す動画視聴画面には、複数の選択動画として動画Ｖ１と動画Ｖ２とが同時に表示されている。例えば、ユーザＵが図５（ａ）に示す動画一覧画面において、動画Ｖ１と動画Ｖ２とを選択する操作を行うと、表示制御部２５１は、図６に示す動画視聴画面において動画Ｖ１及び動画Ｖ２を複数の選択動画として同時に再生させる。この場合、例えば、動画視聴画面には、複数の選択動画のうちのいずれかの音声出力を有効にするか、複数の選択動画の両方の音声出力を有効にするかを選択するための選択ボタンが設けられており、ユーザＵが当該選択ボタンを押下する操作を行うと、選択された選択ボタンに応じて動画（複数の選択動画のうちのいずれか、又は複数の選択動画の両方）の音声が出力される。このように、ユーザ端末２が複数の選択動画を同時に再生させることで、ユーザＵは、視聴したい動画を容易に探すことができる。
【００４８】
表示制御部２５１は、表示部２２に動画を表示させている間に、ユーザＵが他の動画を表示させるための表示操作を行うと、当該他の動画を表示部２２に表示させる。表示操作は、例えば、左右又は上下にスワイプする操作である。具体的には、表示制御部２５１は、選択動画を表示させている間に、受付部２５２が選択動画とは異なる他の動画を表示させるための表示操作を受け付けると、検索画面においてユーザＵが入力した動画の属性を有する他の動画を表示部２２に表示させる。
【００４９】
より具体的には、まず、表示制御部２５１は、選択動画を表示させている間に、受付部２５２が他の動画を表示させるための表示操作を受け付けると、検索画面においてユーザＵが入力した動画の属性と、選択動画に対応する動画識別情報を含み、当該属性を有し、かつ当該動画識別情報によって示される動画以外の他の動画の送信を要求するための送信要求をサーバ１に送信する。そして、表示制御部２５１は、送信要求に応じてサーバ１から送信された動画データ（検索画面においてユーザＵが入力した動画の属性を有する他の動画の動画データ）を取得し、取得した動画データに基づく他の動画を表示部２２に表示させる。
【００５０】
表示制御部２５１は、例えば、選択動画を表示させている間に、ユーザＵが他の動画を表示させるための表示操作を行った場合に、選択動画の前後に配信された動画であって、選択動画と同じシリーズの他の動画を表示部２２に表示させる。具体的には、表示制御部２５１は、選択動画を表示させている間に、受付部２５２が第１の表示操作を受け付けると、選択動画と同じシリーズにおける選択動画の１つ前の他の動画を表示部２２に表示させ、受付部２５２が第２の表示操作を受け付けると、選択動画と同じシリーズにおける選択動画の１つ後の他の動画を表示部２２に表示させる。
【００５１】
表示制御部２５１は、例えば、受付部２５２が第１の表示操作を受け付けると、検索画面においてユーザＵが入力した動画の属性によって示される動画のシリーズと、選択動画に対応する動画識別情報を含み、選択動画と同じシリーズにおける選択動画の１つ前の他の動画の送信を要求するための送信要求をサーバ１に送信する。また、表示制御部２５１は、例えば、受付部２５２が第２の表示操作を受け付けると、検索画面においてユーザＵが入力した動画の属性によって示される動画のシリーズと、選択動画に対応する動画識別情報を含み、選択動画と同じシリーズにおける選択動画の１つ後の他の動画の送信を要求するための送信要求をサーバ１に送信する。サーバ１が上記送信要求に応じて動画データ（選択動画と同じシリーズにおける選択動画の１つ前の他の動画の動画データ、又は選択動画と同じシリーズにおける選択動画の１つ後の他の動画の動画データ）を送信すると、表示制御部２５１は、当該動画データを取得し、取得した動画データに基づく他の動画を表示部２２に表示させる。
【００５２】
図７は、表示操作を模式的に表した図である。図７に示す動画視聴画面には、１９９０年に放送されていた動画Ｖ１が表示されている。動画Ｖ２は、動画Ｖ１と同じシリーズの動画であって、動画Ｖ１の１つ後（例えば、動画Ｖ１が放送された年の翌年）に放送されていた動画である。動画Ｖ３は、動画Ｖ１と同じシリーズの動画であって、動画Ｖ１の１つ前（例えば、動画Ｖ１が放送された年の前年）に放送されていた動画である。図７に示す動画視聴画面に表示されている動画Ｖ１の左側及び右側には、左右にスワイプすることにより他の動画を表示させることが可能であることを示す矢印アイコンが表示されている。
【００５３】
この場合において、ユーザＵが動画視聴画面において第１の表示操作（例えば、左から右にスワイプする操作）を行うと、表示制御部２５１は、動画Ｖ３を表示させる。また、ユーザＵが動画視聴画面において第２の表示操作（例えば、右から左にスワイプする操作）を行うと、表示制御部２５１は、動画Ｖ２を表示させる。このようにすることで、ユーザ端末２は、選択動画が、ユーザＵが視聴したい動画ではなかった場合であっても、当該選択動画に関連する他の動画（選択動画とは異なる時期に配信されていた他の動画）を表示させることができる。
【００５４】
なお、具体的には、表示制御部２５１は、選択動画を表示させている間に、受付部２５２が表示操作を受け付けると、選択動画の配信時期と同じ時期に配信されていた動画であって、選択動画のシリーズとは異なる他のシリーズの他の動画を表示部２２に表示させてもよい。表示制御部２５１は、例えば、ユーザＵが左右にスワイプさせる操作を行うと、選択動画と同じシリーズの他の動画を表示させ、ユーザＵが上下にスワイプさせる操作を行うと、選択動画とは異なるシリーズの他の動画を表示させる。このようにすることで、ユーザ端末２は、選択動画の配信時期と同じ時期に配信されていた様々なシリーズの動画を表示させることができる。
【００５５】
動画視聴画面には、図７に示す例に限らず、様々な情報が表示されてもよい。例えば、動画視聴画面に表示されている各矢印アイコンには、スワイプ操作により表示可能な他の動画の数が表示されてもよい。また、例えば、動画視聴画面には、ユーザＵが動画に関するコメントの書き込みが可能なコメント入力欄と、他のユーザＵが書き込んだコメントの一覧及び書き込まれたコメントの数が表示されたコメント表示欄とが、動画が表示される動画表示欄の下に設けられてもよい。また、動画視聴画面には、表示されている動画の関連グッズ（例えば動画に登場するキャラクターのフィギュア等）の紹介と、当該関連グッズが販売されている販売ページのリンクとが表示されたグッズ表示欄が設けられてもよい。
【００５６】
表示制御部２５１は、専用アプリの表示画面を分割して複数の動画を同時に表示部２２に表示させてもよい。具体的には、表示制御部２５１は、選択動画を表示させている間に、受付部２５２が表示操作を受け付けると、選択動画と、検索画面においてユーザＵが入力した動画の属性を有する他の動画とを同時に表示部２２に表示させる。この場合における表示操作は、スワイプする操作であってもよいし、ユーザＵが動画視聴画面に設けられが不図示の分割表示ボタンを押下する操作であってもよい。例えば、ユーザＵが、図５（ｂ）に示す動画視聴画面において上記のような表示操作を行うと、表示制御部２５１は、図６に示す動画視聴画面（動画Ｖ１と動画Ｖ２とが同時に表示された画面）を表示させる。このように、表示制御部２５１が複数の動画を同時に表示させることにより、ユーザＵは、視聴したい動画を容易に探すことができる。
【００５７】
ところで、ユーザＵは、動画を特定のシーン（例えば、ヒーロー役のキャラクターが変身するシーン、ヒーロー役のキャラクターが悪役のキャラクターと戦うシーン等）から視聴したい場合がある。そのため、表示制御部２５１は、ユーザＵが視聴したいシーンから動画を表示させることが望ましい。そこで、表示制御部２５１は、選択動画を、ユーザＵが指定したシーンから表示部２２に表示させてもよい。
【００５８】
例えば、動画には、所定のシーンごとに、当該シーンを示すためのシーン情報と、動画において当該シーンが始まる開始時刻とが関連付けられている。シーン情報と当該シーン情報に対応する開始時刻とは、サーバ１の記憶部１２に記憶されている動画データに含まれていてもよいし、サーバ１の記憶部１２に記憶されている動画情報データベースに関連付けられていてもよい。
【００５９】
例えば、検索画面には、所定のシーンを指定するための入力項目がさらに設けられており、ユーザＵが検索画面の当該入力項目において所定のシーンを指定する操作（例えば、複数のシーンの中から１つを選択する操作、又は所定のシーンのキーワードを入力する操作）を行うと、受付部２５２は、当該操作を受け付ける。表示制御部２５１は、選択動画を、所定のシーンを指定するための指定情報に対応するシーン情報に関連付けられている開始時刻から表示部２２に表示させる。このようにすることで、ユーザ端末２は、ユーザＵが視聴したいシーンから動画を表示させることができる。
【００６０】
なお、表示制御部２５１は、選択動画が表示されている間に、動画視聴画面においてユーザＵがスワイプする操作を行った場合に、表示されているシーンの前後のシーンから選択動画を表示させてもよい。また、表示制御部２５１は、動画視聴画面において、選択動画に含まれる複数のシーンを画面分割して同時に表示させてもよい。また、専用アプリの表示画面（例えば、動画視聴画面）には、スワイプ操作で前後のシーンを表示させるモードと、選択動画に含まれる複数のシーンを画面分割して同時に表示させるモードとが選択可能な選択項目が設けられており、表示制御部２５１は、ユーザＵがいずれかのモードを選択した場合に、ユーザＵが選択したモードに対応する態様で選択動画を表示させてもよい。
【００６１】
表示制御部２５１は、ユーザＵが指定したシーンから選択動画を表示させている間に、ユーザＵが他の動画を表示させるための操作を行った場合に、ユーザＵが指定したシーンから他の動画を表示部２２に表示させてもよい。具体的には、表示制御部２５１は、受付部２５２が表示操作を受け付けると、検索画面においてユーザＵが入力した動画の属性を有する他の動画を、指定情報に対応するシーン情報に関連付けられている開始時刻から表示部２２に表示させる。
【００６２】
また、表示制御部２５１は、年代の異なる同じ又は類似するシリーズの複数の動画（例えば、初回又は最終回等）、又は１つのシリーズの動画の複数の回（例えば、初回から最終回までの全ての回）を、あるシーン（例えば、ヒーロー役のキャラクターと悪役のキャラクターとが戦うシーン等）が始まる時刻から所定の期間（例えば３分間等）、連続して同時に表示させてもよい。所定の期間は、予め定められていてもよいし、ユーザＵによって設定されてもよい。
【００６３】
また、表示制御部２５１は、選択動画を表示させてから所定の期間（例えば３分間）が経過したときに、次の動画（例えば、選択動画の次に配信された動画）を表示させてもよい。また、表示制御部２５１は、選択動画を表示させてから所定の期間（例えば３分間）が経過する前に、ユーザＵが他の動画を表示させるための表示操作（例えば第２の表示操作を行った場合、次の動画を表示させてもよい。このようにすることで、ユーザ端末２は、選択動画と同じシリーズの他の動画を、ユーザＵが視聴したいシーンから表示させることができる。
【００６４】
［動画表示システムＳの処理］
続いて、動画表示システムＳの処理の流れについて説明する。図８は、動画表示システムＳの処理の流れを示すシーケンス図である。本処理は、ユーザ端末２の検索部２５３が、専用アプリが起動されたことに応じて表示された検索画面において、ユーザＵが入力した検索条件を満たす複数の動画を検索する処理を実行したことを契機として開始する。具体的には、検索部２５３は、以下のＳ１からＳ３までの処理を実行する。
【００６５】
検索部２５３は、受付部２５２が検索条件を受け付けると、当該検索条件を含む検索要求をサーバ１に送信する（Ｓ１）。サーバ１の取得部１３１が検索要求を取得すると、特定部１３２は、記憶部１２に記憶されている複数の動画の中から、検索条件を満たす複数の候補動画を特定する（Ｓ２）。サーバ１の送信部１３３が、特定部１３２が特定した複数の候補動画に関する情報をユーザ端末２に送信すると、ユーザ端末２の検索部２５３は、当該複数の候補動画に関する情報を検索結果として取得する（Ｓ３）。
【００６６】
表示制御部２５１は、動画一覧画面において、検索部２５３が検索結果として取得した複数の候補画像に関する情報を表示させる（Ｓ４）。受付部２５２が動画一覧画面においてユーザＵによる選択操作を受け付けると、表示制御部２５１は、通信部２１を介して、選択動画に対応する動画識別情報を含み、選択動画の送信を要求するための送信要求をサーバ１に送信する（Ｓ５）。
【００６７】
サーバ１の取得部１３１が送信要求を取得すると、特定部１３２は、記憶部１２に記憶されている複数の動画の中から、当該送信要求に含まれる動画識別情報に対応する選択動画を特定する（Ｓ６）。サーバ１の表示制御部１３４が、特定部１３２が特定した選択動画の動画データをユーザ端末２に送信すると、ユーザ端末２の表示制御部２５１は、当該動画データを取得し、動画視聴画面において、取得した動画データに基づく選択動画を表示させる（Ｓ７、Ｓ８）。
【００６８】
表示制御部２５１は、選択動画を表示させている間に、受付部２５２が他の動画を表示させるための表示操作を受け付けると、ユーザＵが入力した動画の属性と、選択動画に対応する動画識別情報を含み、動画の属性を有する他の動画の送信を要求するための送信要求をサーバ１に送信する（Ｓ９）。サーバ１の取得部１３１が送信要求を取得すると、特定部１３２は、記憶部１２に記憶されている複数の動画の中から、当該送信要求に含まれる動画の属性を有し、かつ当該送信要求に含まれる動画識別情報に対応する選択動画とは異なる他の動画を特定する（Ｓ１０）。
【００６９】
そして、サーバ１の表示制御部１３４が、特定部１３２が特定した他の動画の動画データをユーザ端末２に送信すると、ユーザ端末２の表示制御部２５１は、当該動画データを取得し、動画視聴画面において、取得した動画データに基づく他の動画を表示させる（Ｓ１１、Ｓ１２）。
【００７０】
［変形例］
上記において、動画の属性が、コンセプトが同じ又は類似する連作の動画のシリーズを示す情報である例を説明したがこれに限らない。例えば、動画の属性は、動画に出演した出演者を示す情報であってもよい。表示制御部２５１は、例えば、ユーザＵが所定の学年のときに配信されていた動画であって、ユーザＵが入力した動画の属性によって示される出演者が出演した複数の候補動画の中からユーザＵが選択した選択動画を表示部２２に表示させる。
【００７１】
表示制御部２５１は、選択動画を表示させている間に、受付部２５２が第１の表示操作を受け付けると、選択動画の１つ前に、ユーザＵが入力した動画の属性によって示される出演者が出演した他の動画を表示部２２に表示させ、受付部２５２が第２の表示操作を受け付けると、選択動画の１つ後に、ユーザＵが入力した動画の属性によって示される出演者が出演した他の動画を表示部２２に表示させる。
【００７２】
また、動画の属性は、野球及びサッカー等のスポーツチームを示す情報、又はスポーツ選手を示す情報であってもよい。表示制御部２５１は、例えば、ユーザＵが所定の学年のときに行われた試合であって、ユーザＵが入力した動画の属性を有する複数の候補動画（スポーツチームの試合の動画、又はスポーツ選手が出場した試合の動画）の中からユーザＵが選択した選択動画を表示部２２に表示させる。
【００７３】
表示制御部２５１は、選択動画を表示させている間に、受付部２５２が第１の表示操作を受け付けると、選択動画の１つ前の他の動画（選択動画の試合の１つ前の年（年次）に行われた、特定のスポーツチームの試合の動画、又は選択動画の試合の１つ前の年に行われた、特定のスポーツ選手が出場した試合の動画）を表示部２２に表示させ、受付部２５２が第２の表示操作を受け付けると、選択動画の１つ後の他の動画（選択動画の試合の１つ後の年に行われた、特定のスポーツチームの試合の動画、又は選択動画の試合の１つ後の年に行われた、特定のスポーツ選手が出場した試合の動画）を表示部２２に表示させる。この場合、表示制御部２５１は、動画を表示するとともに、当該動画の試合が行われた場所及び日時を表示させてもよい。
【００７４】
表示制御部２５１は、ユーザＵによって特定の時期が指定された場合、選択動画を表示させている間に、受付部２５２が第１の表示操作を受け付けると、選択動画の試合の１つ前の試合の動画を表示部２２に表示させ、受付部２５２が第２の表示操作を受け付けると、選択動画の試合の１つ後の試合の動画を表示部２２に表示させてもよい。また、表示制御部２５１は、ユーザＵによって特定の期間が指定された場合、選択動画を表示させている間に、受付部２５２が所定の表示操作（例えば左右にスワイプする操作）を受け付けると、ある年（特定の期間に含まれる年）の全ての試合の動画を切り替えて表示させ、受付部２５２が所定の表示操作とは異なる他の表示操作（例えば上下にスワイプする操作）を受け付けると、年次が異なる試合の動画を切り替えて表示させてもよい。この場合、表示制御部２５１は、動画を表示するとともに、当該動画の試合が行われた年を表示させてもよい。
【００７５】
［本実施の形態における効果］
以上説明したとおり、ユーザ端末２は、動画の属性と、ユーザＵの年齢を特定するための情報と、教育機関の年次に基づく所定の学年とを含む検索条件を満たす複数の候補動画を検索し、当該複数の候補動画の中からユーザＵが選択した選択動画を表示させる。そして、ユーザ端末２は、選択動画が表示されている間に、ユーザＵが他の動画を表示するための表示操作を行うと、上記動画の属性を有する他の動画を表示させる。このようにすることで、ユーザＵは、所定の学年のときに配信されていた複数の動画それぞれを視聴することができる。これにより、ユーザＵは、視聴したい動画（例えば、子供のときに視聴していた特定のシリーズの動画）を見つけることができる。その結果、ユーザ端末２は、ユーザＵが視聴したい動画を容易に探させることができる。
【００７６】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７７】
１  サーバ
１１  通信部
１２  記憶部
１３  制御部
１３１  取得部
１３２  特定部
１３３  送信部
１３４  表示制御部
２  ユーザ端末
２１  通信部
２２  表示部
２３  操作部
２４  記憶部
２５  制御部
２５１  表示制御部
２５２  受付部
２５３  検索部
Ｓ  動画表示システム
【要約】      （修正有）【課題】視聴したい動画を容易に探すユーザ端末、動画表示方法及びプログラムを提供する。【解決手段】動画表示システムにおいて、過去に配信された動画を表示するユーザ端末２は、ユーザの操作を受け付ける受付部２５２と、受付部が、視聴したい動画の属性と、ユーザの年齢を特定するための情報と、教育機関の年次に基づく所定の学年とを含む検索条件の入力を受け付けると、ユーザが所定の学年のときに配信されていた動画であって、属性を有する複数の候補動画を検索する検索部２５３と、受付部が複数の候補動画の中から動画を選択する操作を受け付けると、ユーザが選択した候補動画である選択動画を表示部２２に表示させる表示制御部２５１と、を有する。表示制御部は、選択動画を表示させている間に、受付部が選択動画とは異なる他の動画を表示させるための表示操作を受け付けると、属性を有する他の動画を表示部に表示させる。【選択図】図４【図１】
0006880293.tif 000002
【図２】
0006880293.tif 000003
【図３】
0006880293.tif 000004
【図４】
0006880293.tif 000005
【図５】
0006880293.tif 000006
【図６】
0006880293.tif 000007
【図７】
0006880293.tif 000008
【図８】
0006880293.tif 000009